(57)【特許請求の範囲】
【請求項１】
床面に載置されるベースと、
このベースから立設される立設体と、
前記床面から立ち上がる配線を前記立設体に沿うように誘導する立設誘導領域及び前記立設体よりも上側へ延出し前記配線を撓み変形可能に誘導する可撓誘導領域を有する配線誘導体と
を具備することを特徴とする配線誘導装置。
【請求項２】
前記配線誘導体が、可撓性を有した筒形状をなす可撓性筒状体である請求項１記載の配線誘導装置。
【請求項３】
前記可撓性筒状体が、可撓性を有するシート部と、このシート部の短寸方向両端同士を着脱可能に接続し筒形状を構成し得る接続部とを有するものである請求項２記載の配線誘導装置。
【請求項４】
前記配線誘導体が、前記可撓誘導領域の長手寸法を前記立設誘導領域の長手寸法の二倍よりも小さい寸法に設定したものである請求項１〜３の何れかに記載の配線誘導装置。
【請求項５】
前記ベースと前記立設体とを一体に設けている請求項１〜４の何れかに記載の配線誘導装置。
【請求項６】
天板が昇降可能に構成された天板付き家具の下肢空間に配置されてなるものであり、
前記天板近傍に配された配線収容部から垂下した配線を床面へ誘導している請求項１〜５の何れかに記載の配線誘導装置。
【請求項７】
請求項１〜６の何れかに記載の配線誘導装置と、
昇降可能に構成された天板を有する天板付き家具と
を具備することを特徴とする家具システム。
【発明の詳細な説明】
【技術分野】
【０００１】
本発明は、天板付き家具に配される配線を床面から案内するための配線誘導装置及び当該配線誘導装置と天板付き家具とを有する家具システムに関するものである。
【背景技術】
【０００２】
従来、天板を昇降させて天板面の高さを自在に変更可能な天板付き家具が知られている。例えば特許文献１には、左右の脚支柱を同期して昇降させて天板面の高さを調整する天板付き家具が記載されている。
【０００３】
ところで、多くの天板付き家具では、天板上で使用するパーソナルコンピュータ等に接続するための配線を収容しておくための配線収容部が設けられている。そして、床面から延出する配線は当該配線収容部に案内される。
【先行技術文献】
【特許文献】
【０００４】
【特許文献１】特開２０１５−１３４１２４号公報
【発明の概要】
【発明が解決しようとする課題】
【０００５】
かかる天板を昇降可能な天板付き家具では通常、床面から延出する配線は天板面の高さを昇降動作範囲の上端に位置づけたときに応じた長さに調整される。このように配線を調整すれば、当該配線は天板の昇降動作によって不要に引っ張られることもなく、配線も天板下方の床面上に垂れてしまうことはない。
【０００６】
しかしながら、上述の通りに配線を配すると、天板を下降させたときに配線の下端側が床面上に垂れ下がってしまい下肢空間にある使用者の足に干渉してしまうといった不具合を招来しやすくなる。
【０００７】
本発明は、上記のような課題を解消することを目的としており、天板を昇降可能な天板付き家具を使用する際に天板の昇降位置にかかわらず配線が使用者の足に干渉し難くなるようにすることを目的とするものである。
【課題を解決するための手段】
【０００８】
本発明は、かかる目的を達成するために、次のような手段を講じたものである。
【０００９】
すなわち、本発明に係る配線誘導装置は、床面に載置されるベースと、このベースから立設される立設体と、前記床面から延出する配線を前記立設体に沿うように誘導する立設誘導領域及び前記立設体よりも上側へ延出し前記配線を撓み変形可能に誘導する可撓誘導領域を有する配線誘導体とを具備することを特徴とする。
【００１０】
また本発明に係る家具システムは、上記配線誘導体と、昇降可能に構成された天板を有する天板付き家具とを具備することを特徴とする。
【００１１】
このような構成であると、床面から天板へ向けて誘導される配線はベースから立設誘導領域に沿って案内された配線は適宜可撓誘導領域に案内されながら天板の昇降位置に応じて適宜撓ませることができる。これにより配線が不要に天板下方の床面上に垂れてしまい天板付き家具の使用者の足に干渉してしまうという不具合を有効に回避することができる。すなわち本発明によれば、天板を昇降可能な天板付き家具を使用する際に天板の昇降位置にかかわらず配線が使用者の足に干渉し難くなるようにすることができる。
【００１２】
配線をより確実に誘導し得るようにするためには、配線誘導体を、可撓性を有した筒形状をなす可撓性筒状体とすることが望ましい。
【００１３】
さらに、配線の誘導をより簡単に行い得るようにするためには、可撓性筒状体を、可撓性を有するシート部と、このシート部の短寸方向両端同士を着脱可能に接続し筒形状を構成し得る接続部とを有するものとすることが望ましい。
【００１４】
配線を床面上に垂れさせないようにするためには、配線誘導体を、可撓誘導領域の長手寸法が立設誘導領域の長手寸法の二倍よりも小さい寸法に設定されたものとすることが望ましい。
【００１５】
また、配線誘導装置の構成を簡素なものとしつつ強度を有効に向上させるためには、ベースと立設体とを一体に設けたものとすることが望ましい。
【００１６】
そして床面から天板付き家具へ配される配線を好適に案内し得るようにするためには、天板が昇降可能に構成された天板付き家具の下肢空間に配置し、天板近傍に配された配線収容部から垂下した配線を誘導するように構成することが好ましい。
【発明の効果】
【００１７】
本発明は、以上説明した構成であるから、天板を昇降可能な天板付き家具を使用する際に、天板の昇降位置にかかわらず配線が使用者の足に干渉し難くなるようにすることができる配線誘導装置及び家具システムを提供することができる。
【図面の簡単な説明】
【００１８】
【図１】本発明の一実施形態に係る外観図。
【図２】同実施形態に係る分解斜視図。
【図３】同実施形態に係る配線誘導装置の斜視図。
【図４】同実施形態に係る構成説明図。
【図５】同配線誘導装置の要部の平面図。
【図６】同底面図。
【図７】同実施形態に係る作用説明図。
【図８】同上。
【発明を実施するための形態】
【００１９】
以下、本発明の一実施形態を、図面を参照して説明する。
【００２０】
図１に示すように、本実施形態の家具システムＡを構成する天板付き家具としての自動昇降テーブル１は、互いに対向して配置される一対の脚支柱２、２と、一対の脚支柱２、２によって支持される略矩形状の天板３と、この天板３に吊り下げ支持される収納箱４とを備える。そして本実施形態の家具システムＡは、当該自動昇降テーブル１と、この自動昇降テーブル１に用いる配線Ｋを床面から天板３近傍まで誘導する配線誘導装置７とを備えている。以下、自動昇降テーブル１の構成と、配線誘導装置７の構成とを順次説明していく。
【００２１】
天板３は、収納箱４を吊り下げ支持する箇所を有し、人が着座する側である一方の縁辺３ａ側の下面に、奥方に向かって下り勾配となる傾斜が付けてあり、それによって天板３の厚みを見掛け上薄くしてスマートにするとともに、昇降操作のために取り付けられる操作部Ｃを使用者から見やすくしている。図１に示すように、天板３は、一方の縁辺３ａ側に幅方向中央部に浅く凹み３２が形成されるとともに、他方の縁辺３ｂの幅方向中央部に平面視台形の切欠部３１が形成されている。
【００２２】
図１に示す一対の脚支柱２、２が有する支柱２２は、３段テレスコープ状に部材を嵌合させたものであり、図示しないボールねじタイプの昇降駆動機構を内蔵する。支柱２２の下端に取り付けられたベース２４は、鉄板を折り曲げて形成されており、表面に塗装が施してある。支柱２２の下端は、ベース２４の鉄板にボルトや溶接で固定される。このようなベース２４および支柱２２を含む脚支柱２の形状は、側面視逆Ｔ字状に構成される。左右の支柱２２、２２の上部には、前後方向に延びて天板３の左右端部３ｃ、３ｃ（図１参照）の下面を支持する天板取り付けブラケット２１が取り付けられる。そして左右の支柱２２、２２の間には、中央ダクト５が架け渡される。
【００２３】
中央ダクト５は、図２に示すように、２枚の板金をそれぞれ折り曲げ加工してわずかな隙間を空けて突き合わせ、その両端部が左右のブラケット２１、２１にビスにより固定されている。このような中央ダクト５は、前後方向中央部が凹んだ逆ハット型の横断面を有するものであり、底板５１に、幅方向中央部が拡開した拡開部５２ａを有するスリット５２が形成される。また、このスリット５２を利用することで、天板３の下方を仕切る図示しない幕板が取り付けられてもよい。
【００２４】
中央ダクト５内であって、拡開部５２ａの近傍には、左右の脚支柱２に内蔵された昇降メカである図示しない昇降駆動機構を同期駆動させ、天板３を昇降させる駆動ユニットＹが収納され、駆動ユニットＹから左右の昇降メカまでケーブルを導くようにしている。なお、天板３は、例えば、図１に示すように、一般的な成人が椅子に着席姿勢で適切に利用できる高さ位置から、起立姿勢で肘をついて利用できる高さ位置の間で昇降可能に構成される。
【００２５】
操作部Ｃは、天板３の一方の縁辺３ａ側の下面３３に取り付けられる。操作部Ｃは、天板３を等ピッチで昇降させるメインスイッチの他、天板３を数ピッチ単位で昇降させるサブスイッチを有する。操作部Ｃへの配線コードは後述するコードダクトから中央ダクト５を通り、駆動ユニットＹの配線とともに床面に導かれる。
【００２６】
また、天板３の下面３３であって、他方の縁辺３ｂ側には、天板３の幅方向全体に亘って配線コード受け６が取り付けられる。
【００２７】
配線コード受け６は、図２に示すように、天板３の幅方向に延びる底部６１と底部６１の前後方向両端からそれぞれ立ち上がる第１、第２の上下方向面６２ａ、６２ｂとで構成される第１のコード受け部６Ａと、第１のコード受け部６Ａの後方側の上端縁に連接する天板下面添設部６３と、天板下面添設部６３の後端から立ち上がる第３の上下方向面６４とを有し、一枚の板金の塑性変形加工によって作製される。第１のコード受け部６Ａの底部６１は、幅方向中央部が図２に示すように平面視長方形に切欠かれており、この切欠き６１ａの左右に第１の上下方向面６２ａが形成される。また、第２の上下方向面６２ｂは、第１の上下方向面６２ａよりも上方に延び、底部６１から天板下面添設部６３の左右方向両端部に向けて幅方向に広がりながら延びる正面視台形状である（図２参照）。天板下面添設部６３は、天板３の幅方向略全体に亘って形成され、天板３の他方の縁辺３ｂ近傍を下方から支持した状態で天板３の下面３３にねじ止めされる。天板下面添設部６３は、幅方向中央部が、天板縁部に形成された図１に示す切欠部３１から露出し、その露出部分がコンセントタップＴ等をマグネットで着脱することが可能な第２のコード受け部６Ｂとして利用される。
【００２８】
このような天板下面添設部６３の最後縁には、図２に示すように、立ち上げ部構成材としての第３の上下方向面６４が、天板面３ｃよりも上方に突出する位置まで起立し、第３の上下方向面６４の上縁により、立ち上がり寸法が天板３の厚みよりも小さい第１の立ち上がり部６５ａが構成される。第１の立ち上がり部６５ａは、天板３のうち人が着座しない側である他方の縁辺３ｂの全幅に亘って形成される。第１の立ち上がり部６５ａは、図１に示すように天板３の切欠部３１の左右に形成され、天板３の昇降等に伴って天板面３ｃに置かれた筆記用具などの物品が転がるなどして移動した場合に、物品をガードして床へ落下することを防止する。また、第３の上下方向面６４のうち長手方向中央付近の上縁には、左右の第１の立ち上がり部６５ａと連続し、第２のコード受け部６Ｂに載置される配線のこぼれ止めとしての役割を果たす第２の立ち上がり部６５ｂも形成される。このような配線コード受け６において、立ち上がり部構成材としての第３の上下方向面６４と天板３の縁辺３ｂとの間の隙間は、閉塞部としての天板下面添設部６３により下方に開放されることが防止される。
【００２９】
天板３には、例えばデスクトップ型パソコン本体などを収納するための図１に示すような収納箱４が前後一対の収納箱取付ブラケット４２を介して取り付けられる。
【００３０】
収納箱４は、図２に示すように、逆Ｌ型の２枚の側板４５、４５の上下を別体をなす連結部を介在させて溶接により接合して収納箱４の筐体を構成している。この収納箱４は上側に小物類を収容し得る引き出し４１を有するとともに、この引き出し４１の下側には例えばデスクトップ型パソコン本体などを収納するための収納空間Ｓが形成されている。また、前後の収納箱取付ブラケット４２、４２間に亘って（収納箱取付ブラケット４２、４２の左右の腕の間を通って）前後に延びるコードダクト４３が架け渡されており、操作部Ｃ（図１参照）への図示しない配線コードは、このコードダクト４３内に収容される。
【００３１】
ここで、本実施形態に係る家具システムＡは、図１に示すように、上述した構成をなす天板付き家具たる自動昇降テーブル１と、この自動昇降テーブル１の配線収容部たる配線コード受け６から床面へ垂れる配線Ｋを誘導するための配線誘導装置７とを具備することを特徴とする。すなわち配線誘導装置７は、天板３が昇降可能に構成された自動昇降テーブル１の下肢空間に配置されてなるものであり、天板３近傍に配された配線コード受け６から垂下した配線Ｋを床面へ誘導している。換言すれば配線誘導装置７は、床面から天板３近傍まで好適に配線Ｋを誘導している。
【００３２】
この配線誘導装置７は、図１〜図８に示すように、床面に載置されるベース７１と、このベース７１から立設される立設体７２と、床面から立ち上がる配線Ｋを立設体７２に沿うように誘導する立設誘導領域７３ａ及び立設体７２よりも上側へ延出する配線Ｋを撓み変形可能に誘導する可撓誘導領域７３ｂを有する配線誘導体たる配線カバー７３とを具備することを特徴とする。以下、本実施形態に係る配線誘導装置７の構成について説明する。
【００３３】
ベース７１は、図３〜図６に示すように、立設体７２と一体に設けられた板金素材を主体としたものであり、平面視の外形が概略真円形状をなすベース本体７１ａと、このベース本体７１ａの下面に例えば接着により取り付けられ床面に直接接地するバンパー７１ｂとを有している。ベース本体７１ａは、平面視中央から一方側に切り欠かれて形成された凹部７１ｃと、この凹部７１ｃに近接した位置に設けられ配線カバー７３に係り合うためのフック孔７１ｄとを有している。本実施形態では立設体７２は、ベース本体７１ａにおける平面視略中央における凹部７１ｃの一端縁から一体に接続され垂直に立ち上がる。フック孔７１ｄは、本実施形態ではベース本体７１ａに穿たれた平面視矩形状をなす開口としているが勿論、配線カバー７３側の構成に応じて適宜形状を変更しても良い。バンパー７１ｂは、本実施形態では底面視円錐台形状に成形された例えば樹脂素材からなるバンパー本体７１ｅと、このバンパー本体７１ｅの下面にて直接床面に接地する接地面７１ｆとを有している。本実施形態では当該バンパー７１ｂは、ベース本体７１ａの下面側の外縁近傍に略等間隔に六個、接着により取り付けられている。当該バンパー７１ｂを構成する素材は、例えば表面の摩擦形状を高く構成した合成ゴムのような素材としたり、硬質樹脂製のバンパー本体７１ｅの下面側の接地面７１ｆのみに別途粘着剤を塗布することによって床面に対してより安定して接地し得るようにしたりするなど、既存の種々の態様を適用し得る。
【００３４】
立設体７２は、図３〜図６に示すように、ベース７１の平面視略中央から上方に立ち上がるように設けられている。この立設体７２は、ベース７１の凹部７１ｃの一端縁から板金素材を直角に湾曲または屈曲させた基端部７２ａと、この基端部７２ａから上方に立ち上がる立設部７２ｂと、この立設部７２ｂの先端側の外形を湾曲形状に成形した湾曲頂部７２ｃとを有している。そして本実施形態では、配線誘導装置７を構成する板金素材の使用量削減及び全体の軽量化を実現すべく、立設部７２ｂの正面視における上下略全域に亘って開口させた長穴７２ｄを形成している。勿論当該長穴７２ｄを利用して適宜配線Ｋを通過させたり巻回させたりするようにして配線Ｋを誘導しても良い。湾曲頂部７２ｃは、配線カバー７３や配線Ｋに接しても強く擦れたりしないように立設部７２ｂの頂部を湾曲形状に成形したものである、本実施形態では、この湾曲頂部７２ｃの高さ位置すなわち立設部７２ｂの高さは、上述した自動昇降テーブル１の天板３が動作下端位置に配された場合であっても中央ダクト５の底板５１や配線コード受け６の底部６１、換言すれば中央ダクト５や配線コード受け６の下端位置よりも低いように設定されている。
【００３５】
配線カバー７３は、図３及び図４に示すように、少なくとも上述した立設体７２の長手寸法よりも大きい長手寸法を有する可撓性を有したシート部たるカバー本体７３ａと、このカバー本体７３ａの短寸方向両端同士を着脱可能に接続し筒形状を構成し得る接続部たるファスナ７３ｅと、カバー本体７３ａの下端縁に設けられベース７１に係り合うためのフック７３ｄとを有するものである。すなわち当該配線誘導体たる配線カバー７３は、図３に示すようにファスナ７３ｅを閉じた状態において筒形状をなす可撓性筒状体を構成し得る。カバー本体７３ｃは、本実施形態では可撓性を有する合成繊維素材を主体としているが、可撓性を有する素材であれば既存の種々の素材を適用し得る。ファスナ７３ｅは、本実施形態では簡略化して図示しているが、カバー本体７３ｃの長手方向全域に亘って単寸方向両端に縫合された対をなすテープと、この対をなすテープの端縁に設けられた対をなすエレメントと、上下にスライドさせることにより対をなすエレメント同士を接離させ得るスライダとを有した既存のものである。勿論本実施形態では、スライダを上端へスライドさせたときに対をなすエレメント同士が係り合い配線カバー７が筒状となり、スライダを下端へスライドさせたときに対をなすエレメント同士が完全に離間して配線カバー７３が帯状となる、いわゆる開製品と称されるものを適用している。フック７３ｄは、カバー本体７３ｃの下端縁且つファスナ７３ｅ近傍に設けられた、例えば金属素材の折り曲げにより形成したものである。このフック７３ｄは、上述したベース７１のフック孔７１ｄを上方から通過させ、しかる後に先端部分を凹部７１ｃの端縁に引っ掛けることによりベース７１に取り付けることができる。このときフック７３ｄの中間部分がベース本体７１ａの下面からはみ出ることとなるが、ベース本体７１ａの下面には別途上述したバンパー７１ｂが取り付けられ当該バンパー７１ｂの厚み寸法がフック７３ｄを構成する金属素材の厚み寸法よりも大きい。これにより、フック７３ｄをベース７１に取り付けてもベース７１の安定した設置状態に影響を及ぼすことは無い。また本実施形態では、配線カバー７３の長さが立設部７２ｂの二倍を超えない長さに設定してある。換言すれば、配線カバー７３は、可撓誘導領域７３ｂの長手寸法を立設誘導領域７３ａの長手寸法の二倍よりも小さい寸法に設定されている。これにより、配線誘導装置７の上端近傍の高さまで配線Ｋを案内している場合においては常に配線カバー７３が床面まで垂れ下がってしまうことは無い。
【００３６】
図３に示すように、この配線カバー７３はベース７１及び立設体７２に装着した状態において、立設体７２を被覆していることにより立設体７２によって撓みが制限された領域を立設誘導領域７３ａとし、立設体７２の湾曲頂部７２ｃよりもはみ出すことにより素材の可撓性に応じて変形し得る領域を可撓誘導領域７３ｂとしている。換言すればこの配線カバー７３は、床面から立ち上がる配線Ｋを立設体７２に添接させるべく配線Ｋを誘導する立設誘導領域７３ａと、立設体７２よりも上側へ延出する配線Ｋを撓み変形可能に誘導する可撓誘導領域７３ｂとを有する。
【００３７】
そして本実施形態では図７及び図８に示すように、自動昇降テーブル１の昇降動作に伴う天板３すなわち配線コード受け６の高さに応じて配線誘導装置７の一部が適宜変形することにより、床面から誘導された配線Ｋが不要に床面に垂れ下がることも、不要に引っ張られてしまうことも有効に回避している。同図では、配線誘導装置７が配線コード受け６の第１のコード受け６Ａ、第二のコード受け６Ｂに取り付けられた二つのコンセントタップＴ、Ｔにそれぞれ電気を供給する配線Ｋ、Ｋを床面から誘導している態様を図示している。
【００３８】
図７では、自動昇降テーブル１の天板３が動作下端位置にあるときの自動昇降テーブル１の一部及び配線誘導装置７を示している。このとき可撓誘導領域７３ｂは立設誘導領域７３ａに近接している部分が下方に垂れ下がってしまうものの、床面よりも上方にある中間位置で上側へ折り返されながら配線Ｋ、Ｋを案内している。これにより、配線カバー７３並びに配線カバー７３に案内されている配線Ｋ、Ｋが自動昇降テーブル１の下肢空間のうち特に床面近傍の空間で平面視嵩張ることが無い。これにより、配線カバー７３並びに配線Ｋが自動昇降テーブル１を椅子に着座しながら利用する使用者の足に不要に干渉してしまうことは無い。
【００３９】
図８では、自動昇降テーブル１の天板３が動作上端位置にあるときの自動昇降テーブル１の一部及び配線誘導装置７を示している。このとき可撓誘導領域７３ｂは立設誘導領域７３ａから略曲がることも無い形状となっている。これにより且つ配線Ｋ、Ｋは配線カバー７３に被覆され互いに絡まるなどにより不要な引っ張りが発生しない状態でスムーズに床面から配線コード受け６まで案内される。
【００４０】
以上のように、上述した天板付き家具たる昇降テーブルとともに家具システムＡを構成する配線誘導装置７は、床面から立ち上がる配線Ｋを立設体７２に沿うように誘導する立設誘導領域７３ａ及び立設体７２よりも上側へ延出し配線Ｋを撓み変形可能に誘導する可撓誘導領域７３ｂを有する配線誘導体たる配線カバー７３を具備することを特徴としている。
【００４１】
このような構成であると、特に図７及び図８に示すように、床面から天板３へ向けて誘導される配線Ｋは、ベース７１から立設誘導領域７３ａに沿って誘導された部分が床面から直上するように案内される。そして可撓誘導領域７３ｂに沿って誘導された部分は、天板３の昇降位置に応じて適宜撓みながら可撓誘導領域７３ｂの上端は配線コード受け６近傍に常に位置付けられるようにすることができる。その結果、配線Ｋが不要に天板３下方の床面上に垂れてしまい自動昇降テーブル１の使用者の足に干渉してしまうという不具合を有効に回避せしめている。すなわち実施形態によれば、天板３を昇降可能な自動昇降テーブル１を使用する際に天板３の昇降位置にかかわらず配線Ｋが使用者の足に干渉し難くなっている。
【００４２】
加えて本実施形態ではベース７１及び立設体７２に取り付けられる配線カバー７３が、可撓性を有した筒形状をなす可撓性筒状体である構成としているので、配線Ｋをより確実に誘導し得るものとなっている。具体的に本実施形態では配線カバー７３のカバー本体７３ａを帯状の布素材を主体とし、このカバー本体７３ａの端寸方向両端を接離させることで、配線Ｋを横から包むようにして容易に被覆することができる。
【００４３】
さらに本実施形態では、配線カバー７３を、可撓性を有するシート部たるカバー本体７３ａと、このカバー本体７３ａの短寸方向両端同士を着脱可能に接続し筒形状を構成し得る接続部たるファスナ７３ｅとを有するものとしているので、配線Ｋを誘導する作業をより簡単に行い得る。
【００４４】
加えて、配線カバー７３の可撓誘導領域７３ｂの長手寸法が、立設誘導領域７３ａの長手寸法の二倍よりも小さい寸法に設定されているため、配線Ｋを床面上に垂れ難いものとなっている。すなわち当該構成により、立設部７２ｂの高さ近傍まで配線Ｋを案内するときは常に可撓誘導領域７３ｂの何れの部分も床面に接し得ない。
【００４５】
また本実施形態ではベース７１と立設体７２とを一体に設けているので、配線誘導装置７の構成が簡素なものとなり且つ強度も有効に向上されている。特に本実施形態ではベース７１と立設体７２とを板金素材の曲げ成形による一体成形品を主体とすることで、部品点数の削減並びに効率の高い製造をも実現している。
【００４６】
そして本実施形態では天板３が昇降可能に構成された自動昇降テーブル１の下肢空間に配線誘導装置７を配置し、天板３近傍に配された配線収容部たる配線コード受け６から垂下した配線Ｋを誘導するようにしているので、天板３の昇降により高さが変更されても床面から自動昇降テーブル１へ配される配線Ｋがスムーズに取り回されるようになっている。
【００４７】
以上、本発明の一実施形態について説明したが、各部の具体的な構成は、上述した実施形態のみに限定されるものではなく、本発明の趣旨を逸脱しない範囲で種々変形が可能である。
【００４８】
例えば上記実施形態では一台の自動昇降テーブルにつき一つの配線誘導装置を適用した家具システムを開示したが勿論、一台の自動昇降テーブルにつき複数の配線誘導装置を適用した家具システムであっても良い。具体的には上記実施形態に係る一台の自動昇降テーブルに対し、配線コード受け及び中間ダクトにそれぞれ対応する二台の配線誘導装置を適用した家具システムを挙げることができる。また勿論、一つの配線誘導装置が床面から配線コード受けへ誘導される配線と中間ダクトへ誘導される配線を同時に誘導する態様であっても良い。すなわち本発明に係る天板付き家具の配線誘導部とは、上記実施形態に係る配線コード受けのみならず中間ダクトも相当する。
【００４９】
また、上記実施形態では配線誘導装置の配線誘導体たる配線カバーは、筒状をなす布状のものを適用したが勿論、立設体に配線を沿わせ得るようなものであれば特に限定されない。例えば可撓性を有する樹脂素材を螺旋状に形成したようなものであっても本発明の配線誘導体として有効に機能させ得る。加えて上記実施形態では接続部としてスライダの上下動作により開閉し得る既存のファスナを適用したが勿論、当該ファスナに代えて面ファスナを適用しても良い。この場合、配線誘導体の長手方向中間部分のみフック面及びループ面の接合を解除することで、誘導している配線の一部を配線誘導体の長手方向中間部分から離間させるような態様をとることができる。また、ベース及び立設体の具体的な形状や素材といったその他の詳細な構成も、本発明の趣旨を逸脱しない範囲で種々変形が可能である。
【符号の説明】
【００５０】
Ａ・・・家具システム。
１・・・天板付き家具（昇降テーブル）
３・・・天板
６・・・配線収容部（配線コード受け）
７・・・配線誘導装置
７１・・・ベース
７２・・・立設体
７３・・・配線誘導体、可撓性筒状体（配線カバー）
７３ａ・・・立設誘導領域
７３ｂ・・・可撓誘導領域
７３ｃ・・・シート部（カバー本体）
７３ｅ・・・接続部（ファスナ）
Ｋ・・・配線
【図１】
0006548553.tif 000002
【図２】
0006548553.tif 000003
【図３】
0006548553.tif 000004
【図４】
0006548553.tif 000005
【図５】
0006548553.tif 000006
【図６】
0006548553.tif 000007
【図７】
0006548553.tif 000008
【図８】
0006548553.tif 000009